(57)【要約】【課題】ガントリケーシング内に僅かしかスペースを必要としない簡単な構成の低コストの冷却システムを提供する。【解決手段】ガントリケーシング（２）内で回転軸線の周りを回転可能に支持されたＸ線源（４）を備えたコンピュータ断層撮影装置（１）のガントリ（３）の冷却システムが開示されている。コンピュータ断層撮影装置（１）においては、ガントリケーシング（２）が少なくとも１つの軸受（１２，１３）によりコンピュータ断層撮影装置（１）の静止部分（７）に移動可能に支持されている。冷却システムは、冷却ガス流（Ｋ，Ｗ）を少なくとも１つの軸受（１２，１３）の範囲において静止部分（７）からガントリケーシング（２）内へおよび／またはガントリケーシング（２）から静止部分（７）内へ導くために、冷却ガス供給装置（１４，１５，１６，１７，２９，３０，３１，３２）を有する。【選択図】図１
2004237103.tif 000002
【特許請求の範囲】
【請求項１】
ガントリケーシング（２）内で回転軸線の周りを回転可能に支持されたＸ線源（４）を備え、ガントリケーシング（２）が少なくとも１つの軸受（１２，１３）によりコンピュータ断層撮影装置（１）の静止部分（７）に移動可能に支持されているコンピュータ断層撮影装置（１）のガントリ（３）の冷却システムにおいて、
軸受（１２，１３）の少なくとも１つの範囲において冷却ガス流（Ｋ，Ｗ）を静止部分（７）からガントリケーシング（２）内へおよび／またはガントリケーシング（２）から静止部分（７）内へ導く冷却ガス供給装置（１４，１５，１６，１７，２９，３０，３１，３２）が設けられていることを特徴とするコンピュータ断層撮影装置のガントリの冷却システム。
【請求項２】
ガントリケーシング（２）は、コンピュータ断層撮影装置（１）の静止部分（７）の２つの対向する側部において２つの同軸の揺動軸受（１２、１３）により揺動軸線（Ｓ）の周りを揺動可能に支持され、冷却システムは、冷却ガス（Ｋ，Ｗ）が一方の揺動軸受（１２）の範囲においてガントリケーシング（２）内へ流入しガントリケーシング（２）を通って他方の揺動軸受（１３）の範囲においてガントリケーシング（２）から流出するように構成されていることを特徴とする請求項１記載の冷却システム。
【請求項３】
冷却ガス流の循環路は閉じられていることを特徴とする請求項２記載の冷却システム。
【請求項４】
ガントリケーシング（２）を貫流した後の冷却ガス（Ｗ）が流出するかまたは導出される流出口（１０）がコンピュータ断層撮影装置（１）の静止部分（７）にあることを特徴とする請求項４記載の冷却システム。
【請求項５】
ガントリケーシング（２）は、コンピュータ断層撮影装置（１）の静止部分（７）の２つの対向する側部において２つの同軸の揺動軸受（１２，１３）により揺動軸線（Ｓ）の周りを揺動可能に支持され、冷却システムは、冷却ガス（Ｋ，Ｗ）が揺動軸受（１２，１３）の少なくとも１つの範囲においてガントリケーシング（２）内へ流入し、ガントリケーシング（２）における少なくとも１つの流出口（１１）を通して流出するように構成されていることを特徴とする請求項１記載の冷却システム。
【請求項６】
冷却システムは、冷却ガス（Ｋ）が両揺動軸受（１２，１３）の範囲においてガントリケーシング（２）内へ流入するように構成されていることを特徴とする請求項５記載の冷却システム。
【請求項７】
冷却ガス流（Ｋ，Ｗ）はコンピュータ断層撮影装置（１）の外側から少なくとも１つの流入口（８，９）を通して吸い込まれた空気流（Ｋ）を含むことを特徴とする請求項１乃至６の１つに記載の冷却システム。
【請求項８】
冷却ガス供給装置（１４，１５，１６，１７，２９，３０，３１，３２）は少なくとも１つの送風機（１４，１５，１６，１７）を含むことを特徴とする請求項１乃至７の１つに記載の冷却システム。
【請求項９】
送風機（１４，１５，１６，１７）はコンピュータ断層撮影装置（１）の静止部分（７）にあることを特徴とする請求項８記載の冷却システム。
【請求項１０】
軸受（１２，１３）の少なくとも１つはその軸受に沿って延びる貫流口（２９，３０）を含み、その貫流口（２９，３０）を通して冷却ガス（Ｋ，Ｗ）が静止部分（７）からガントリケーシング（２）内へ流入するかまたはガントリケーシング（２）から静止部分（７）内へ流出することを特徴とする請求項１乃至９の１つに記載の冷却システム。
【請求項１１】
ガントリケーシング（２）と静止部分（７）のケーシングとは、少なくとも軸受（１２，１３）の１つに隣接して配置されている対向面に、冷却ガス（Ｋ，Ｗ）が静止部分（７）からガントリケーシング（２）内へまたはガントリケーシング（２）から静止部分（７）内へ流れる貫流口（３１，３２）を有することを特徴とする請求項１乃至１０の１つに記載の冷却システム。
【請求項１２】
ガントリケーシング（２）および／または静止部分（７）に、貫流口（３１，３２）の周りに取付けられた密封装置（２７）が設けられていることを特徴とする請求項１１記載の冷却システム。
【請求項１３】
冷却ガスを冷却するために冷却ガス流（Ｋ，Ｗ）中に配置された少なくとも１つの熱交換器（２２，２３）が設けられていることを特徴とする請求項１乃至１２の１つに記載の冷却システム。
【請求項１４】
熱交換器（２２，２３）が静止部分（７）に配置されていることを特徴とする請求項１３記載の冷却システム。
【請求項１５】
ガントリケーシング（２）の内部に配置された案内面（２６）および／または案内通路が設けられていることを特徴とする請求項１乃至１４の１つに記載の冷却システム。
【請求項１６】
請求項１乃至１５の１つに記載の冷却システムを備えたコンピュータ断層撮影装置（１）。
【請求項１７】
ガントリケーシング（２）内で回転軸線の周りを回転可能に支持されたＸ線源（４）を備え、ガントリケーシング（２）が少なくとも１つの軸受（１２，１３）によりコンピュータ断層撮影装置（１）の静止部分（７）に移動可能に支持されているコンピュータ断層撮影装置（１）のガントリ（３）の冷却方法において、
冷却ガス流（Ｋ，Ｗ）は静止部分（７）からガントリケーシング（２）内へおよび／またはガントリケーシング（２）から静止部分（７）内へ導かれることを特徴とするコンピュータ断層撮影装置のガントリの冷却方法。
【請求項１８】
ガントリケーシング（２）は、コンピュータ断層撮影装置（１）の静止部分（７）の２つの対向する側部において２つの同軸の揺動軸受（１２，１３）により揺動軸線（Ｓ）の周りを揺動可能に支持され、冷却ガスは、一方の揺動軸受（１２）の範囲においてガントリケーシング（２）内へ導入され、ガントリケーシング（２）を通って、他方の揺動軸受（１３）の範囲においてガントリケーシング（２）から導出されることを特徴とする請求項１７記載の方法。
【請求項１９】
冷却ガス流（Ｋ，Ｗ）は閉鎖循環路内を案内されることを特徴とする請求項１７又は１８記載の方法。
【請求項２０】
ガントリケーシング（２）を貫流した後の冷却ガスはコンピュータ断層撮影装置（１）から流出するかまたは導出されることを特徴とする請求項１７又は１８記載の方法。
【請求項２１】
ガントリケーシング（２）は、コンピュータ断層撮影装置（１）の静止部分（７）の２つの対向する側部において２つの同軸の揺動軸受（１２，１３）により揺動軸線（Ｓ）の周りを揺動可能に支持され、冷却ガスは、揺動軸受（１２，１３）の少なくとも１つの範囲においてガントリケーシング（２）内へ導入され、ガントリケーシング（２）における少なくとも１つの流出口（１１）を通して周囲に導出されることを特徴とする請求項１７又は１８記載の方法。
【請求項２２】
冷却ガスは少なくとも１つの熱交換器（２２，２３）によって冷却されることを特徴とする請求項１７乃至２１の１つに記載の方法。
【発明の詳細な説明】
【技術分野】
【０００１】
本発明は、ガントリケーシング内で回転軸線の周りを回転可能に支持されたＸ線源を備え、ガントリケーシングが少なくとも１つの軸受によりコンピュータ断層撮影装置の静止部分に移動可能に、とりわけ揺動可能に支持されているコンピュータ断層撮影装置のガントリの冷却システムに関する。更に、本発明はこのようなガントリの冷却方法に関する。
【背景技術】
【０００２】
コンピュータ断層撮影装置においてはＸ線法により被検体内部の３次元断層画像が作成される。このために、通常は撮影対象物の周りを回転するＸ線源と撮像システムとを有する一般にガントリと呼ばれる走査ユニットにより、２次元のＸ線断層画像が作成され、これらの２次元のＸ線断層画像から３次元の断層画像が再構成される。ガントリは被検体撮影空間の周りにリング状に配置されているガントリケーシング内にある。更に、冒頭に述べたコンピュータ断層撮影装置の場合、例えば被検体面に対して平行な断面案内を達成するために、ガントリケーシングつまりガントリの揺動によって被検体に対して相対的な画像平面の傾斜が行なわれる。このようにして、例えば任意の冠状断面（コロナル像）を作成することができる。
【０００３】
全てのＸ線装置における基本的な問題は、Ｘ線源でのＸ線の発生時に使用された電気エネルギーの９９％が熱エネルギーに変換されることにある。Ｘ線源を過熱なしに長時間にわたって作動できるようにするために、作動時にＸ線源に発生するこの熱はＸ線源から排出されなければならない。これは、とくに高いＸ線出力が要求される場合に必要である。冒頭に述べたコンピュータ断層撮影装置の場合、さらに、Ｘ線源が放射線医学上の撮影中に持続的にガントリケーシング内で被検体撮影空間の周りを回転することが難点をもたらす。絶え間のない回転運動、極端に高い温度およびガントリケーシングの内部空間の狭さにより、Ｘ線源の作動時に発生する熱の排出は高コストで問題があることが明らかである。
【０００４】
コンピュータ断層撮影装置において使用される従来の冷却システムは、大抵、ガントリケーシングの内部に組み込まれている多数の熱交換器からなる。回転するＸ線源で発生する熱をできるだけ効率的にガントリおよびガントリケーシング内部から排出するために、従来では、共に回転する１つの熱交換器がＸ線源の直近に取付けられる。この第１の熱交換器はガントリケーシング内でガントリを包囲する空気に熱を放出する。ガントリの周囲の温まった空気は例えば第２の熱交換器によって冷却され、この第２の熱交換器は空気から受け取った熱をガントリケーシングの外にある冷却システムに導出する。第２の熱交換器がＸ線源に対して相対的に位置固定されてガントリケーシング内に配置されているコンピュータ断層撮影装置は公知である（例えば特許文献１参照）。作動中に受け取られた熱は、第２の熱交換器内に配設された冷却材配管を通してガントリケーシングの外にある冷却システムに導出される。代替案も提案されている（例えば特許文献２参照）。これに示されたコンピュータ断層撮影装置の場合、第２の熱交換器がガントリケーシング内に配置されてガントリと共に回転する。熱の排出は、２つの測定の間におけるガントリの静止時間中に、高速結合により第２の熱交換器がガントリケーシングの外に配置された水冷循環路に結合されることによって行われる。
【０００５】
上述の冷却システムの場合、機能上磨耗しやすく、それ相応にメンテナンスされなければならない多数の精密な機械的および電気的構成要素を必要とすることが欠点である。別の欠点は、ガントリケーシングが熱交換器の必要な大きさに応じて相応の容積で設計されなければならないことにある。最後に述べた変形例により、確かにまさに良好な冷却出力が得られるが、しかしこの場合には冷却材の冷却が十分な静止時間においてしか可能でないという欠点がある。さらに、外部の冷却材循環路への必要な結合により、ガントリケーシングの揺動の実現が困難にされる。
【特許文献１】独国特許出願公開第１９９４５４１３号明細書
【特許文献２】独国特許出願公開第１９８４５７５６号明細書
【発明の開示】
【発明が解決しようとする課題】
【０００６】
本発明の課題は、ガントリケーシング内に僅かしかスペースを必要としない簡単な構成の低コストの冷却システムおよび冷却方法を提供することにある。
【課題を解決するための手段】
【０００７】
ガントリの冷却システムに関する課題は、ガントリケーシング内で回転軸線の周りを回転可能に支持されたＸ線源を備え、ガントリケーシングが少なくとも１つの軸受によりコンピュータ断層撮影装置の静止部分に移動可能に支持されているコンピュータ断層撮影装置のガントリの冷却システムにおいて、軸受の少なくとも１つの範囲において冷却ガス流を静止部分からガントリケーシング内へおよび／またはガントリケーシングから静止部分内へ導く冷却ガス供給装置が設けられていることによって解決される。
ガントリの冷却方法に関する課題は、ガントリケーシング内で回転軸線の周りを回転可能に支持されたＸ線源を備え、ガントリケーシングが少なくとも１つの軸受によりコンピュータ断層撮影装置の静止部分に移動可能に支持されているコンピュータ断層撮影装置のガントリの冷却方法において、冷却ガス流は静止部分からガントリケーシング内へおよび／またはガントリケーシングから静止部分内へ導かれることによって解決される。
【０００８】
本発明によれば、ガントリの冷却のために、軸受の範囲において冷却ガス流を、一般にガントリ基部と呼ばれる静止部分からガントリケーシング内へおよび／またはガントリケーシングからガントリ基部内へ導くための冷却ガス供給装置が使用される。コスト上の理由からおよび簡単化のために、冷却ガスとして、大抵の場合、とくに単純な空気が使用される。従って、以下では用語「冷却ガス」および「空気」は同義に使用される。しかしながら、本発明は冷却ガスとして空気を使用することに限定されない。
【０００９】
本発明による冷却システムは、ガントリの構成要素とりわけＸ線源の発生熱を受け入れてガントリケーシングから排出する冷却体をガントリケーシング内に組み込まなくてもよく、さらに熱排出のためにガントリの休止も必要でないという利点を有する。なぜならば、冷却ガスが持続的にガントリ基部からガントリケーシングを通って流れガントリ基部に戻り、そこにあるＸ線源を含む構成要素を効率よく冷却するからである。
【００１０】
従属請求項は本発明の特に有利な実施態様を含む。
【００１１】
現在における通常のコンピュータ断層撮影装置では、ガントリケーシングは、ガントリケーシングの２つの対向する側部において２つの同軸に（すなわち揺動軸線上に）配置された揺動軸受により揺動軸線の周りを揺動可能にガントリ基部に支持されている。
【００１２】
本発明による冷却システムは、このような装置において、第１の優れた変形例に従って、冷却ガスは一方の揺動軸受の範囲においてガントリケーシング内へ流入し、ガントリケーシングを通って、他方の揺動軸受の範囲において再びガントリ基部内へ戻る。
【００１３】
本発明のこの変形例では、冷却ガスが閉鎖循環路内を流れることが提案される。その場合、冷却ガスはガントリケーシングもしくは静止部分の内部に保持されるので、患者検査室との交換は行なわれない。このような構造形式は無菌環境が必要な場合に特に有利である。
【００１４】
代替としての開放形システムの場合、温まった冷却ガスがコンピュータ断層撮影装置のガントリ基部における流出口を通して流出するかあるいは導出される。この場合に特に有利な変形例によれば、患者検査室の冷房装置の負担を避けるために、温まった空気が外に向けて案内配管を通して患者検査室から運び出される。このために、例えば検査室の適当な換気設備に接続されている案内配管もしくは案内ホースがガントリ基部に接続されていると好ましい。
【００１５】
本発明による他の開放形の変形例では、ガントリケーシング自体の外壁が少なくとも１つの流出口を有するようにガントリケーシングが構成されている。この変形例の場合にも冷却ガスがガントリ基部から軸受範囲においてガントリケーシング内へ導入される。しかしながら、冷却ガスは、ガントリ基部内に戻るように案内されることなしに、直接にガントリケーシングの流出口から出る。流出口は１つ又は複数の大きな開口であってよい。しかし、とりわけ、ケーシングは、定められた範囲に外側に向けて半径方向に、すなわち被検体から離れる方に向けて、孔を明けられている。この変形例における冷却システムは、空気が両揺動軸受の範囲においてガントリケーシング内へ流入するように構成されていると特に有利である。それによって冷却ガス流量が高められる。
【００１６】
冷却ガスの循環路が閉じられていない上述の実態態様において、本発明による冷却システムは、とりわけ、空気が患者検査室からまたは外から配管系もしくはホース系を通してかつ静止部分における少なくとも１つの流入口を通って吸い込まれるように構成されている。ガントリケーシングにおける構成部分が吸い込まれた冷却空気によって汚染されることを避けるために、冷却空気流中においてガントリケーシングの前に、とりわけ塵埃や他の粒子を取り除くための少なくとも１つのフィルタ等が存在する。
【００１７】
ガントリケーシング内への冷却ガスの流入および／または還流は、とりわけガントリ基部に配置されている少なくとも１つの送風機により達成される。このような送風機は軸受の近くにあると特に有利である。
【００１８】
軸受の範囲においてガントリ基部からガントリケーシング内への冷却ガスの導入もしくは導出については種々の可能性がある。
【００１９】
本発明の変形例によれば、冷却ガスは、軸受に沿って延びる貫流口を通して、静止部分からガントリケーシング内へおよび／またはガントリケーシングから静止部分内へ流れる。このために、軸受は例えば軸受リングまたは軸受管として形成されている。空気交換が妨げられないで十分に行なわれ得るように、内のり開口横断面、すなわち軸受リング内径もしくは軸受管内径はできるだけ大きくすべきである。
【００２０】
他の有利な変形例では、軸受に隣接して配置されたガントリケーシング対向面およびガントリ基部のケーシング対向面に貫流口が存在する。この変形例では貫流口の拡大された面によって冷却ガス流量が高められる。冷却ガスの圧力を維持するために、冷却ガスがガントリケーシングとガントリ基部のケーシングとの間の間隙から外側に達することができないように、貫流口は外側に向けて封鎖されている。貫流口の可能な形状、開口サイズおよび配置は、ケーシング形状、ケーシング寸法および各構成シリーズの所望の傾斜角に応じて最適に定められる。
【００２１】
さらに、前述の両変形例の組み合わせ、すなわち各軸受の隣の軸受内部およびケーシング面に貫流口がある構成も可能である。
【００２２】
冷却システムの働きを高めるために、本発明の優れた実施態様では付加的な熱交換器が静止部分に取付けられる。熱交換器は、例えばガントリケーシングへの導入前および／または患者検査室への排出前にガントリケーシング後方において、あるいは閉鎖循環路の場合にはガントリケーシングの新たな貫流前にガントリ基部において空気を冷却する。熱交換器は１つの実施態様では特に送風機に隣接して配置される。熱交換器は、例えば簡単な水冷却の液冷の装置に接続するとよい。
【００２３】
ガントリケーシングは、ガントリケーシングの内部に案内面および／または案内通路がとりわけガントリに対して内側に向けて半径方向に取付けられているように構成されていると特に有利である。それによって、ガントリケーシング内での冷却ガスの所望の流れが促進される。案内面はガントリの回転部分にも配置するとよい。
【００２４】
軸受範囲における既に述べた送風機に加えて、ガントリ基部内の流れを促進するために、静止部分にさらに別の送風機を組み込むとよい。これは、とくに、閉鎖循環路を備えたシステムにとって価値がある。
【００２５】
冷却システムを寝台範囲における冷却ガス供給システムとして構成することの主要な利点は、ガントリケーシング自体に必ずしも多数の熱交換器を組み込まなくてもよいということにある。それゆえ、冷却システムは比較的簡単な低コストのシステムである。ガントリケーシングの内部に付加的な機械部分を組み込まなくてもよいことから、一方では製造コストが僅かになる。他方では設備全体のメンテナンスコストが減る。更に、冷却システムは、小形化されたガントリケーシングのコスト節約構造が可能となるという利点も有する。この冷却システムの他の利点は、休止中にガントリケーシングの外面に外部の冷却材ポンプを連結することが必要でない点にある。それゆえ、ガントリケーシングの揺動実現が簡単になる。
【００２６】
本発明による冷却システムは、連続回転するコンピュータ断層撮影装置、すなわち例えば就労時間中、就業日中または多数の検査にわたって中断されることなく回転するコンピュータ断層撮影装置の場合にも、特殊な構成および特に有利な利点をもって使用可能である。このような構成の場合、システム軸線の周りを回転可能な走査ユニットの回転は、第１の被検体の検査開始から第２の被検体の検査終了まで中断なしに行なうことができる。その場合、「中断なしに」は、一定の回転周波数を持つ中断なしの回転が行なわれることを必ずしも意味しない。むしろ、走査ユニットの回転周波数は、所望の検査の種類に応じて、例えば患者の心臓または腹部の検査のために種々に調整可能であると好ましい。相応に構成されたコンピュータ断層撮影装置は、とりわけ、丁度検査が行なわれないときには走査ユニットが予め設定された回転数（「待機状態」）で回転するように駆動される。この回転数は、例えば検査のために使用できる回転数よりも低いかまたは検査のために使用できる回転数の平均値の範囲にあるので、新たな検査時における回転数の変化が平均的に少なくなる。中断のない回転の時間は１週間以上にも延ばすことができる。持続的に回転するコンピュータ断層撮影装置は、従来例えば新たな検査毎の前に走査ユニットの常に新たに必要な位置決めのために必要であった時間のかかる減速もしくは始動の時間を避けることができるという利点を有する。更に、連続的に回転するコンピュータ断層撮影装置の場合、断層撮影装置全体の温度安定性および温度均一性が改善される。これは、冷却システムを簡単に実施できることにも作用する。
【００２７】
さらに、冷却システムは既知の冷却方法に対して補足されて使用される。例えば本発明による空気冷却は、ガントリに配置されてガントリと共に回転する熱交換器を冷却しそれによりその効率を高めるために使用されると好ましい。
【００２８】
とりわけ、本発明による冷却システムは既存のコンピュータ断層撮影装置に追加装備することも可能である。このためには、ガントリ基部に送風機を配置し、ガントリケーシング、ガントリ基部および軸受のいずれか１つ又は２つもしくは全部に流入口もしくは流出口を配置することだけが必要である。
【発明を実施するための最良の形態】
【００２９】
以下において添付の図面を参照しながら、実施例に基づいて本発明を更にもう一度詳細に説明する。
図１は本発明による冷却システムの第１の実施例を備えたコンピュータ断層撮影装置の概略横断面図、
図２は本発明による冷却システムの第２の実施例を備えたコンピュータ断層撮影装置の概略横断面図、
図３は本発明による冷却システムの第３の実施例を備えたコンピュータ断層撮影装置の概略横断面図、
図４は本発明による冷却システムの第４の実施例を備えたコンピュータ断層撮影装置の概略横断面図を示す。
【００３０】
図１に示されたコンピュータ断層撮影装置（コンピュータトモグラフ）１は主要構成部分として静止部分７（以下においてガントリ基部と呼ぶ。）とこれに移動可能に支持されたガントリケーシング２とを有し、このガントリケーシング２はほぼ円環状にすなわち「ドーナツ」形に形成されている。ガントリケーシング２内には回転方向Ｒに回転可能に支持された担持体リング６（ドラムとも呼ばれる。）を備えたガントリ３があり、このガントリ３にはＸ線源４および検出器５が互いに対向して配置されている。コンピュータ断層撮影装置１の作動中にはドラム６が検査室内で寝台２８上に寝かされた被検体Ｐ（ここでは患者Ｐ）の周りを回転し、その際にＸ線源４から出るＸ線ファンビーム束が被検体Ｐを透過し、検出器５に当たる。それにより、ドラム６の回転平面内にある断面における患者Ｐの内部の断層画像が取得される。
【００３１】
ガントリケーシング２はガントリ基部７の２つの対向する側部において２つの同軸の揺動軸受１２，１３により揺動軸線Ｓの周りを揺動可能に支持されている。断層画像平面の傾斜は揺動軸線Ｓの周りにおけるガントリケーシング２、従ってガントリ３の揺動によって行なわれる。
【００３２】
図１に示された実施例の場合、ガントリケーシング２の一方の側部における揺動軸受１２の範囲に第１の送風機１４が配置されている。送風機１４はガントリケーシング２内への冷たい空気流Ｋの吹き込みを生じさせる。冷たい空気流Ｋはガントリ基部７のケーシングにおける流入口８を通して吸い込まれ、軸受１２における貫流口２９を通してガントリケーシング２内へ導かれる。ガントリケーシング２内で温まった空気は、対向側の揺動軸受１３における貫流口３０を通して、ガントリケーシング２の対向側の側部においてガントリ基部７内にある第２の送風機１５により、ガントリケーシング２から吸い出される。続いて、温まった空気流Ｗはガントリ基部７のケーシングにおける流出口１０を通して排出される。送風機１４，１５の直径は貫流口２９，３０の直径と一致していないために、漏斗状配管１８，１９による整合が行なわれる。
【００３３】
図２は図１と似たように構成された実施例を示す。しかしながら、この場合には冷却空気Ｋが送風機１４によりガントリ基部７における異なる流入口８，９を通して吸い込まれる。これに加えてこの場合には付加的に、温まった空気流Ｗを冷却する熱交換器２２が第２の送風機１５の範囲にある。この場合に冷却された空気は、ガントリ基部７のケーシングにおける流出口１０を通して患者検査室内へ流出するが、その患者検査室内に存在する冷房装置に負担をかけることはない。
【００３４】
さらに、この実施例は、軸受自体における貫流口の代わりに、ガントリ基部７のケーシングとガントリケーシング２とにおける対向面において、揺動軸受１２，１３の範囲に、すなわち揺動軸受１２，１３に隣接して貫流口３１,３２を有する。これにより、ガントリケーシング２へ導入されて再び導出される空気流の容積が増大する。大きくなった冷却ガス容積により冷却ガスの冷却作用が改善される。とりわけ、貫流口３１，３２は、冷却ガスの圧力を維持するために、貫流口３１，３２の周りにリング状に形成されかつガントリケーシング２とガントリ基部７のケーシングとの間にまたがっている密封装置２７を備えている。これは例えば蛇腹形の密封装置２７である。
【００３５】
この実施例においては、冷却空気を外から吸入する送風機１４の前に付加的に取付けられた空気フィルタ２０により、汚染粒子および塵によって引き起こされるガントリ３の汚染が阻止される。
【００３６】
図３は閉鎖循環路を備えた実施例を示す。ここでも冷たい冷却ガス流Ｋが送風機１４により揺動軸受１２の範囲における貫流口３１を通してガントリケーシング２内へ吹き込まれる。温まった冷却ガス流Ｗは対向側で送風機１５により第２の揺動軸受１３の範囲における貫流口３２を通して吸い出される。この実施例の場合にはガントリ基部７に熱交換器２２がある。熱交換器２２は水冷循環路の冷却配管２４に接続されている。温まった冷却ガス流Ｗはここでは流れ方向において熱交換器２２の直前に配置された送風機１６によって熱交換器２２に吸い込まれる。熱交換器２２で冷却された冷却ガスＫは、そこから熱交換器２２の直後に配置された別の送風機１７によって、冷却ガス循環路の流れを促進すべく再び第１の送風機１４の方向に圧送される。
【００３７】
この実施例の場合にはとりわけ、冷たい空気流Ｋにより、ガントリ基部７に配置されている他の構成要素が冷却される。
【００３８】
図４は、冷たい空気流Ｋが２つの送風機１４、５によりガントリケーシング２の対向する側部の両揺動軸受１２，１３における貫流口２９，３０を通してガントリケーシング２内へ吹き込まれる実施例を示す。冷却空気の流れは、ガントリ３の回転によってかつガントリケーシング２の内部においてドラム６に配置された流れを支援する案内羽根２６により促進される。最終的に、温まった冷却空気Ｗはガントリケーシング２から流出口１１を通して上方に向けて出ていく。空気流の冷却作用は、ガントリ基部７における揺動軸受１２，１３の範囲に配置された熱交換器２２，２３により吸込空気がガントリケーシング２内へ流入する前に冷却されることによって支援される。熱交換器２２，２３は冷却配管２４，２５を介して循環路に接続されている。
【００３９】
送風機１４，１５の範囲に付加的に取付けられた空気フィルタ２０，２１により、汚染粒子および塵によって引き起こされるガントリ３の汚染が阻止される。
【００４０】
送風機１４，１５，１６，１７および熱交換器２２，２３の上述の配置は例示にすぎないと理解すべきである。それゆえ、例えば送風機および熱交換器は要求に応じてガントリ基部７内にまたはガントリ基部７の外側に配置することができる。さらに、なおも例えば除湿器の付加的な構成要素を空気流の中に組み込むこともできる。
【図面の簡単な説明】
【００４１】
【図１】本発明による冷却システムの第１の実施例を備えたコンピュータ断層撮影装置の概略横断面図
【図２】本発明による冷却システムの第２の実施例を備えたコンピュータ断層撮影装置の概略横断面図
【図３】本発明による冷却システムの第３の実施例を備えたコンピュータ断層撮影装置の概略横断面図
【図４】本発明による冷却システムの第４の実施例を備えたコンピュータ断層撮影装置の概略横断面図
【符号の説明】
【００４２】
１          コンピュータ断層撮影装置
２          ガントリケーシング
３          ガントリ
４          Ｘ線源
５          検出器
６          担持体リング／ドラム
７          ガントリ基部
８，９      流入口
１０，１１  流出口
１２，１３  軸受
１４        送風機
１５        送風機
１６        送風機
１７        送風機
１８        漏斗状配管
１９        漏斗状配管
２０        フィルタ
２１        フィルタ
２２        熱交換器
２３        熱交換器
２４        冷却配管
２５        冷却配管
２６        案内羽根
２７        密封装置
２８        寝台
２９        貫流口
３０        貫流口
３１        貫流口
３２        貫流口
Ｋ          冷たい冷却ガス流
Ｐ          被検体
Ｒ          回転方向
Ｓ          揺動軸線
Ｗ          温まった冷却ガス流
【図１】
2004237103.tif 000003
【図２】
2004237103.tif 000004
【図３】
2004237103.tif 000005
【図４】
2004237103.tif 000006